(57)【要約】【課題】動物が忌避する装置を提供する。【解決手段】本発明の動物忌避装置１０は、光源１１と、光源１１から放射された拡散光ＬＳの一部を集光させる第１集光部１３と、第１集光部１３の光源１１に対する相対位置を変化させて第１集光部１３からの光の照射領域（光照射領域ＳＰ１）を変位させる第１変位部（回転機構１４）と、を備えることを特徴とする。【選択図】図１
2019088256.tif 000002
【特許請求の範囲】
【請求項１】
光源と、
前記光源から放射された光の一部を集光させる第１集光部と、
前記第１集光部の前記光源に対する相対位置を変化させて第１集光部からの光の照射領域を変位させる第１変位部と、
を備えることを特徴とする動物忌避装置。
【請求項２】
前記第１変位部は回転機構を有し、前記回転機構によって前記第１集光部は回転運動をする、請求項１に記載の動物忌避装置。
【請求項３】
前記光源から放射された光の他の一部を集光させる第２集光部と、
前記第２集光部の前記光源に対する相対位置を変化させて第２集光部からの光の照射領域を変位させる第２変位部と、をさらに備える、請求項２に記載の動物忌避装置。
【請求項４】
前記第２変位部は、前記第１変位部が有する前記回転機構により、前記第１集光部を回転運動させる、請求項３に記載の動物忌避装置。
【請求項５】
前記光源から放出された光の一部を集光させる集光部を３個以上有し、
前記回転機構により、前記集光部は回転運動する、請求項４に記載の動物忌避装置。
【請求項６】
前記光源が複数ある、請求項２から５のいずれか一項に記載の動物忌避装置。
【請求項７】
複数の前記光源は、前記回転機構の回転軸からずれた位置に配置される、請求項６に記載の動物忌避装置。
【請求項８】
前記光源は点滅する、請求項１から７のいずれか一項に記載の動物忌避装置。
【発明の詳細な説明】
【技術分野】
【０００１】
本発明は、動物忌避装置に関し、具体的には、屋内配置物に夜間に被害を及ぼす動物が忌避するような光を放出する装置に関する。
【背景技術】
【０００２】
特許文献１には、物品に近づく動物を、動物が忌避する色のＬＥＤ光により忌避させて、物品を動物の被害から護ることができるようにした動物忌避方法において、二以上のＬＥＤが収容された筐体を、前記物品の近くであって動物が通る通路又は前下がり傾斜の傾斜台の上に設置し、電源スイッチをＯＮにして前記二以上のＬＥＤから、動物が忌避する二色以上の光を点灯時間１７ｍｓｅｃ程度、点滅間隔１．６ｓｅｃ程度の点滅光にして出射させ、前記点滅光を前記物品の近くであり動物が通る通路に斜め下向きに照射して、当該通路の上方に反射させると共に周囲に広げ、反射して広がった点滅光が前記通路から前記物品に近づく動物により感知され易くして動物に忌避され易くした、ことを特徴とする動物忌避方法が記載されている。
【先行技術文献】
【特許文献】
【０００３】
【特許文献１】特許第５９４６９９４号公報
【発明の概要】
【発明が解決しようとする課題】
【０００４】
本発明は、動物が忌避する装置を提供することを目的とする。
【課題を解決するための手段】
【０００５】
上記課題を解決するために提供される本発明は次のとおりである。
（１）光源と、前記光源から放射された拡散光の一部を集光させる第１集光部と、前記第１集光部の前記光源に対する相対位置を変化させて第１集光部からの光の照射領域を変位させる第１変位部と、を備えることを特徴とする動物忌避装置。
（２）前記第１変位部は回転機構を有し、前記回転機構によって前記第１集光部は回転運動をする、上記（１）に記載の動物忌避装置。
（３）前記光源から放射された拡散光の他の一部を集光させる第２集光部と、前記第２集光部の前記光源に対する相対位置を変化させて第２集光部からの光の照射領域を変位させる第２変位部と、をさらに備える、上記（２）に記載の動物忌避装置。
（４）前記第２変位部は、前記第１変位部が有する前記回転機構により、前記第１集光部を回転運動させる、上記（３）に記載の動物忌避装置。
（５）前記光源から放出された光の一部を集光させる集光部を３個以上有し、前記回転機構により、前記集光部は回転運動する、上記（４）に記載の動物忌避装置。
（６）前記光源が複数ある、上記（２）から（５）のいずれかに記載の動物忌避装置。
（７）複数の前記光源は、前記回転機構の回転軸からずれた位置に配置される、上記（６）に記載の動物忌避装置。
（８）前記光源は点滅する、上記（１）から（７）のいずれかに記載の動物忌避装置。
【発明の効果】
【０００６】
本発明に係る装置を用いることにより、屋内配置物に被害を与える動物を屋内から追い出したり、屋内に近づかなくさせたりすることが実現される。
【図面の簡単な説明】
【０００７】
【図１】（ａ）本発明の一実施形態に係る動物忌避装置の構造および動作を説明する図であり、（ｂ）動物忌避装置が床面に形成する光照射領域をトレースした結果を示す図である。
【図２】本発明の他の一実施形態に係る動物忌避装置の構造および動作を説明する図である。
【図３】本発明の他の一実施形態の変形例に係る動物忌避装置の構造および動作を説明する図である。
【発明を実施するための形態】
【０００８】
以下、本発明の実施形態を図面に基づいて説明する。なお、以下の説明では、同一の部材には同一の符号を付し、一度説明した部材については適宜その説明を省略する。
【０００９】
本発明の一実施形態に係る動物忌避装置の構造および動作を説明する図である。
【００１０】
図１に示される動物忌避装置１０は、立体角θの拡散光ＬＳを放射可能な光源１１が、筐体１２の内部に配置されている。光源１１は、ＬＥＤ光源である。筐体１２は、鉛直方向（図１中Ｚ軸方向）を回転軸Ａｘとする回転機構１４により回転可能とされている。回転機構１４は、取り付け部材１５により、建物の天井Ｓに取り付けられている。本実施形態に係る動物忌避装置１０では、筐体１２内に配置される光源は一つ（光源１１）であり、光源１１からの拡散光ＬＳの放射方向の中心軸は、回転軸Ａｘと重なっている。
【００１１】
筐体１２の上方に配置された光源１１からの拡散光ＬＳの照射範囲内であって筐体１２の下側には、例えば凸レンズのような集光機能を有する第１集光部１３が設けられている。第１集光部は、光源１１から放出された拡散光ＬＳの一部を筐体１２の外部に集光させることができる。具体的には、第１位置Ｐ１に配置された第１集光部１３に照射された拡散光ＬＳの一部は、第１集光部１３を透過して筐体１２の外部に放出され、その際、第１集光部１３の集光機能によって、拡散光から集束光ＬＦに変換されて、床面Ｆに光照射領域ＳＰ１を形成する。
【００１２】
回転機構１４によって筐体１２が回転軸Ａｘを中心として回転すると、光源１１は変位しないが、第１集光部１３は回転軸Ａｘを中心として回転し、例えば、回転機構１４によって筐体１２が１８０度回転した時には、第１集光部は第２位置Ｐ１ａに位置する。その結果、第１集光部１３から筐体１２の外部に放出される集束光ＬＦａは、光照射領域ＳＰ１とは床面Ｆにおいて異なる領域（光照射領域ＳＰ１ａ）に到達する。
【００１３】
回転機構１４によって回転する筐体１２の第１集光部１３から放出される集束光ＬＦが作る光照射領域ＳＰ１をトレースすると、図１（ｂ）に示されるように、環状の領域ＬＴとなる。この領域を周回するように、光照射領域ＳＰ１は移動する。
【００１４】
本発明者らが検討した結果、特許文献１のように光を点滅させることよりも、光照射領域が床面Ｆなどの上を移動することが、より効果的に動物を忌避させるとの新たな知見を得た。忌避対象となる動物には、ネズミやモグラなどの哺乳類やカラスなどの鳥類のみならず、ゴキブリやハエなどの昆虫類やクモ類を含む節足動物も含まれる。本実施形態に係る動物忌避装置１０は、かかる知見に基づき構成された。光照射領域ＳＰ１が床面Ｆを動き回ると、忌避対象の動物は、光照射領域ＳＰ１を自らの捕食者や駆除物などと誤認し、床面Ｆに近づくことが困難になる。
【００１５】
環状の領域ＬＴの全域を光照射領域ＳＰ１が移動してもよいし、例えば光源１１が点滅することによって、光照射領域ＳＰ１が領域ＬＴの一部を移動するようにしてもよい。この点滅を不規則に行えば、光照射領域ＳＰ１が環状の領域ＬＴ内のみを移動することを忌避対象の動物が気付きにくくなり、動物の忌避の程度が高まる場合もある。なお、本実施形態に係る動物忌避装置１０では、筐体１２に取り付けられた第１集光部１３以外からは光源１１からの光が放出しないように、筐体１２は構成されている。このように構成することで、筐体１２からの漏れ光に集光性の動物（昆虫など）が近づくことが防止できる。
【００１６】
図２は、本発明の他の一実施形態に係る動物忌避装置の構造および動作を説明する図である。
【００１７】
図２に示される動物忌避装置１０Ａは、次の二点において図１に示される動物忌避装置１０と相違する。
【００１８】
まず、動物忌避装置１０Ａは、光源１１と同様に立体角θ１の拡散光ＬＳ１を放射可能な光源１１１がさらに筐体１２に配置されている。光源１１１は、光源１１と異なり、拡散光ＬＳ１の放射中心が回転機構１４の回転軸Ａｘからずれた位置にある。したがって、回転機構１４によって筐体１２が回転すると、光源１１１も回転軸Ａｘ周りに回転する。
【００１９】
また、筐体１２には、複数の集光部が設けられている。具体的には、第１集光部１３に加えて、第２集光部１３１を含む５つの集光部を有し、残りの４つは、図２において、集光部１３２、集光部１３３、集光部１３４、集光部１３５として示してある。これらの集光部は、光源１１から放射された拡散光のうち、第１集光部１３によって集光される一部の光とは異なる一部の光を集光して、床面Ｆや壁面Ｗに光照射領域を形成する。
【００２０】
第１集光部１３は、光源１１から放射される一部の光を集光する光路ＬＰ１が光照射領域ＳＰ１を床面Ｆに形成する一方、光源１１１から放射される光の一部を集光する光路ＬＰ２が、光照射領域ＳＰ１とは異なる床面Ｆの位置に光照射領域ＳＰ２を形成する。光源１１と光源１１１の位置が異なるため、光照射領域ＳＰ１が作る環状の領域ＬＴは、光照射領域ＳＰ２が作る環状の領域とは一致しない。したがって、光照射領域ＳＰ１と光照射領域ＳＰ２とが異なった軌跡で移動し、忌避対象動物に対する忌避効果は高まる。
【００２１】
他の集光部（集光部１３２、集光部１３３、集光部１３４、集光部１３５）からも、光源１１に基づく光照射領域、光源１１１に基づく光照射領域が、床面Ｆや壁面Ｗに形成され、これが独自の環状の領域内を移動することになる。このように多くの光照射領域が個別に床面Ｆや壁面Ｗを移動すると、忌避対象動物は、光照射領域の軌跡を予測不能となり、パニック状態に陥る。しかも、床面Ｆだけでなく、壁面Ｗにも光照射領域が形成されると、忌避対象動物は逃げ道を断たれたと認識し、さらに錯乱状態になる。このため、通常であれば容易に回避可能な粘着型の動物捕獲装置に捕獲されることもある。
【００２２】
以上説明したように、本実施形態によれば、屋内の動物が屋内に留まることができない程度に驚かせる動物忌避装置を提供することが可能になる。
【００２３】
図３は、本発明の他の一実施形態の変形例に係る動物忌避装置の構造および動作を説明する図である。動物忌避装置１０Ａでは、光源１１などと第１集光部１３などとはいずれも筐体１２に固定され、その結果として光源と集光部とは相対位置を等しい状態を維持して回転する。これに対し、本例に係る動物忌避装置１０Ｂでは、光源１１、１１１は基板ＳＢ上に配置され、基板ＳＢは、筐体１２の内部にあるが、筐体１２とは独立に位置し、回転機構１４の回転に伴って回転しない。この場合において、各集光部には、光源からの拡散光の一部が常に照射されていなくてもよい。例えば、第２集光部１３１は、光源１１からの拡散光ＬＳの一部が常に照射されるが、光源１１１からの拡散光ＬＳ１が照射されない場合もある。
【００２４】
上記に本実施形態を説明したが、本発明はこれらの例に限定されるものではない。前述の実施形態に対して、当業者が適宜、構成要素の追加、削除、設計変更を行ったものや、各実施形態の構成例の特徴を適宜組み合わせたものも、本発明の要旨を備えている限り、本発明の範囲に含有される。
【００２５】
例えば、上記の実施形態では、筐体１２は光源１１などからの拡散光ＬＳが外部に漏れない構造としたが、これに限定されない。別の観点では、筐体１２の内面において拡散光ＬＳが反射可能であってもよい。この場合には、反射光を含めた光が第１集光部１３において集光されるため、光照射領域ＳＰ１の面積を広げたり、光源を増やすことなく光照射領域を増やしたりすることができる場合がある。
【００２６】
第１集光部１３は単純に拡散光ＬＳを集束光ＬＦに変換する凸レンズ形状を具体例としたが、これに限定されない。所定の形状（例えば星形）を床面Ｆに投影するような光学系から構成されていてもよい。複数の光源（光源１１、光源１１１）を点滅させる場合において、各光源の点滅の間隔が異なっていてもよい。点滅によって光照射領域の移動が不規則になることが忌避対象動物にとって効果的であるから、特許文献１のように、点滅の間隔を厳密に制御する必要はない。
【００２７】
光源１１の色も任意である。異なる色であってもよいし、同一であってもよい。光源１１はＬＥＤから構成されていてもよいし、ＬＤからの放射光路に拡散板を設けて光を拡散させてもよい。上記の実施形態において第１集光部１３からの集束光の光照射領域ＳＰ１を変位させる第１変位部に相当する回転機構１４は、第２集光部１３１からの集束光の光照射領域を変位させる第２変位部と共通であるが、これに限定されず、各集光部からの光照射領域を変位させる変位部が個別に設けられていてもよい。
【符号の説明】
【００２８】
１０、１０Ａ、１０Ｂ  ：動物忌避装置
１１      ：光源
１２      ：筐体
１３      ：第１集光部
１４      ：回転機構
１５      ：取り付け部材
１１１    ：光源
１３１    ：第２集光部
１３２、１３３、１３４、１３５  ：集光部
Ａｘ      ：回転軸
ＬＦ、ＬＦａ      ：集束光
ＬＳ、ＬＳ１  ：拡散光
ＬＴ      ：環状の領域
Ｐ１      ：第１位置
Ｐ１ａ      ：第２位置
ＳＰ１、ＳＰ１ａ、ＳＰ２  ：光照射領域
ＬＰ１、ＬＰ２  光路
Ｓ        ：天井
Ｆ        ：床面
Ｗ        ：壁面
θ        ：立体角
θ１      ：立体角
ＳＢ      ：基板
【図１】
2019088256.tif 000003
【図２】
2019088256.tif 000004
【図３】
2019088256.tif 000005
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
光源と、
前記光源から放射された光の一部を集光させる集光部と、
前記集光部の前記光源に対する相対位置を変化させて、床に形成される集光部からの光の照射領域を変位させる第１変位部と、
を備えることを特徴とする屋内動物忌避装置。
【請求項２】
前記第１変位部は回転機構を有し、前記回転機構によって前記集光部は回転運動をする、請求項１に記載の屋内動物忌避装置。
【請求項３】
前記集光部を２個以上有し、
前記回転機構により、前記集光部は回転運動する、請求項２に記載の屋内動物忌避装置。
【請求項４】
前記光源が複数ある、請求項１から３のいずれか一項に記載の屋内動物忌避装置。
【請求項５】
複数の前記光源の少なくとも一つは、前記回転機構の回転軸からずれた位置に配置される、請求項４に記載の屋内動物忌避装置。
【請求項６】
前記光源は点滅する、請求項１から５のいずれか一項に記載の屋内動物忌避装置。
【請求項７】
請求項１から６のいずれか一項に記載される屋内動物忌避装置を天井または壁に取り付けて、前記屋内動物忌避装置により床に形成される光の照射領域を変位させる、屋内動物忌避方法。
【請求項８】
前記屋内動物忌避装置を天井に取り付ける、請求項７に記載の屋内動物忌避方法。
【手続補正３】
【補正対象書類名】明細書
【補正対象項目名】０００１
【補正方法】変更
【補正の内容】
【０００１】
本発明は、屋内動物忌避装置に関し、具体的には、屋内配置物に夜間に被害を及ぼす動物が忌避するような光を放出する装置および屋内動物忌避方法に関する。
【手続補正４】
【補正対象書類名】明細書
【補正対象項目名】０００４
【補正方法】変更
【補正の内容】
【０００４】
本発明は、屋内で動物が忌避する装置および屋内動物忌避方法を提供することを目的とする。
【手続補正５】
【補正対象書類名】明細書
【補正対象項目名】０００５
【補正方法】変更
【補正の内容】
【０００５】
上記課題を解決するために提供される本発明は次のとおりである。
（１）光源と、前記光源から放射された拡散光の一部を集光させる集光部と、前記集光部の前記光源に対する相対位置を変化させて、床に形成される集光部からの光の照射領域を変位させる第１変位部と、を備えることを特徴とする屋内動物忌避装置。
（２）前記第１変位部は回転機構を有し、前記回転機構によって前記集光部は回転運動をする、上記（１）に記載の屋内動物忌避装置。
（３）前記集光部を２個以上有し、前記回転機構により、前記集光部は回転運動する、上記（２）に記載の屋内動物忌避装置。
（４）前記光源が複数ある、上記（１）から（３）のいずれかに記載の屋内動物忌避装置。
（５）複数の前記光源の少なくとも一つは、前記回転機構の回転軸からずれた位置に配置される、上記（４）に記載の屋内動物忌避装置。
（６）前記光源は点滅する、上記（１）から（５）のいずれかに記載の屋内動物忌避装置。
（７）上記（１）から（６）のいずれかに記載される屋内動物忌避装置を天井または壁に取り付けて、前記屋内動物忌避装置により床に形成される光の照射領域を変位させる、屋内動物忌避方法。
（８）前記屋内動物忌避装置を天井に取り付ける、上記（７）に記載の屋内動物忌避方法。
【手続補正６】
【補正対象書類名】明細書
【補正対象項目名】０００９
【補正方法】変更
【補正の内容】
【０００９】
図１は、本発明の一実施形態に係る動物忌避装置（屋内動物忌避装置）の構造および動作を説明する図である。
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
光源と、
前記光源から放射された光の一部を集光させる集光部と、
前記集光部の前記光源に対する相対位置を変化させて、床に形成される集光部からの光の照射領域を変位させる第１変位部と、
を備え、
前記集光部は凸レンズを備えることを特徴とする屋内動物忌避装置。
【請求項２】
前記第１変位部は回転機構を有し、前記回転機構によって前記集光部は回転運動をする、請求項１に記載の屋内動物忌避装置。
【請求項３】
前記集光部を２個以上有し、
前記回転機構により、前記集光部は回転運動する、請求項２に記載の屋内動物忌避装置。
【請求項４】
前記光源が複数ある、請求項１から３のいずれか一項に記載の屋内動物忌避装置。
【請求項５】
複数の前記光源の少なくとも一つは、前記回転機構の回転軸からずれた位置に配置される、請求項４に記載の屋内動物忌避装置。
【請求項６】
前記光源は点滅する、請求項１から５のいずれか一項に記載の屋内動物忌避装置。
【請求項７】
請求項１から６のいずれか一項に記載される屋内動物忌避装置を天井に取り付けて、前記屋内動物忌避装置により床に形成される光の照射領域を変位させる、屋内動物忌避方法。
【手続補正２】
【補正対象書類名】明細書
【補正対象項目名】０００５
【補正方法】変更
【補正の内容】
【０００５】
上記課題を解決するために提供される本発明は次のとおりである。
（１）光源と、前記光源から放射された拡散光の一部を集光させる集光部と、前記集光部の前記光源に対する相対位置を変化させて、床に形成される集光部からの光の照射領域を変位させる第１変位部と、を備え、前記集光部は凸レンズを備えることを特徴とする屋内動物忌避装置。
（２）前記第１変位部は回転機構を有し、前記回転機構によって前記集光部は回転運動をする、上記（１）に記載の屋内動物忌避装置。
（３）前記集光部を２個以上有し、前記回転機構により、前記集光部は回転運動する、上記（２）に記載の屋内動物忌避装置。
（４）前記光源が複数ある、上記（１）から（３）のいずれかに記載の屋内動物忌避装置。
（５）複数の前記光源の少なくとも一つは、前記回転機構の回転軸からずれた位置に配置される、上記（４）に記載の屋内動物忌避装置。
（６）前記光源は点滅する、上記（１）から（５）のいずれかに記載の屋内動物忌避装置。
（７）上記（１）から（６）のいずれかに記載される屋内動物忌避装置を天井に取り付けて、前記屋内動物忌避装置により床に形成される光の照射領域を変位させる、屋内動物忌避方法。